【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
導電性支持体、導電性弾性層および表面層を有する電子写真装置に用いられる帯電部材であって、
該表面層は、Ｓｉ−Ｏ−Ｔｉ結合を分子構造中に有する高分子化合物を含み、
該高分子化合物は、下記式（１）、（２）及び（３）で示される構成単位を有することを特徴とする帯電部材：
【化１】
2012237993.tif 000001
【化２】
2012237993.tif 000002
【化３】
2012237993.tif 000003
（上記式（１）および（３）中、Ｒ１−１、Ｒ２−１、Ｒ１−２およびＲ２−２は各々独立に以下の式（４）〜（７）でそれぞれ示される構造のうちのいずれかを示す。
上記式（３）中、Ｒαは以下の式（８）〜（１２）にそれぞれ示される構造のうちのいずれかを示す。）
【化４】
2012237993.tif 000004
【化５】
2012237993.tif 000005
【化６】
2012237993.tif 000006
【化７】
2012237993.tif 000007
（上記式（４）〜（７）中、
Ｒ３〜Ｒ７、Ｒ１０〜Ｒ１４、Ｒ１９、Ｒ２０、Ｒ２５およびＲ２６は各々独立に水素原子、炭素数１以上４以下のアルキル基、水酸基、カルボキシル基またはアミノ基を示す。
Ｒ８、Ｒ９、Ｒ１５〜Ｒ１８、Ｒ２３、Ｒ２４およびＲ２９〜Ｒ３２は各々独立に水素原子、または炭素数１以上４以下のアルキル基を示す。
Ｒ２１、Ｒ２２、Ｒ２７およびＲ２８は各々独立して水素原子、炭素数１以上４以下のアルコキシ基、または炭素数１以上４以下のアルキル基を示す。
ｎ１、ｍ１、ｑ１、ｓ１、ｔ１およびｕ１は各々独立に１以上８以下の整数を示す。
ｐ１およびｒ１は各々独立に４以上１２以下の整数を示す。
ｘ１およびｙ１は各々独立に０もしくは１を示す。
記号「＊」は式（１）中のケイ素原子との結合部位、または式（３）中のケイ素原子との結合部位もしくはＲαである下記式（８）〜（１２）で示される構造のうちのいずれかとの結合部位を示す。
記号「＊＊」は式（１）及び式（３）中の酸素原子との結合部位を示す。）
【化８】
2012237993.tif 000008
【化９】
2012237993.tif 000009
【化１０】
2012237993.tif 000010
【化１１】
2012237993.tif 000011
【化１２】
2012237993.tif 000012
（上記式（８）〜（１２）中、
Ｒ３３〜Ｒ３７は各々独立して炭素数１以上６以下の飽和炭化水素基、またはエーテル基で一部置換された炭化水素基を示し、
ａ〜ｅは各々独立して１以上１３５０以下の整数を示す。
また、記号「＊」は、式（３）中のＲ２−２である前記式（４）〜（７）で示される構造のうちのいずれかの構造における記号「＊」との結合部位を示す）。
【請求項２】
前記式（１）および（３）中のＲ１−１、Ｒ２−１、Ｒ１−２およびＲ２−２が、各々独立して以下の式（１３）〜（１６）でそれぞれ示される構造のうちのいずれかで示される請求項１に記載の帯電部材：
【化１３】
2012237993.tif 000013
【化１４】
2012237993.tif 000014
【化１５】
2012237993.tif 000015
【化１６】
2012237993.tif 000016
（上記式（１３）〜（１６）中、
ｎ２、ｍ２、ｑ２、ｓ２、ｔ２およびｕ２は各々独立に１以上８以下の整数を示す。
ｘ２およびｙ２は各々独立に０もしくは１を示す。
記号「＊」および「＊＊」の定義は、前記式（４）〜（７）における定義と同じである）。
【請求項３】
前記高分子化合物における、チタンとケイ素との原子数比（Ｔｉ／Ｓｉ）が０．１以上１２．５以下である請求項１または２に記載の帯電部材。
【請求項４】
前記高分子化合物が、式（１７）で示される構造を有する加水分解性化合物と、式（１８）で示される加水分解性化合物と、式（２３）〜（２５）でそれぞれ示されるエポキシ変性シリコーンオイルのうちの少なくとも１つとを架橋させてなる物である請求項１〜３のいずれか１項に記載の帯電部材：
【化１７】
2012237993.tif 000017
【化１８】
2012237993.tif 000018
（式（１７）中、Ｒ３８はエポキシ基を有する、式（１９）〜（２２）にそれぞれ示される構造のうちのいずれかを示し、Ｒ３９〜Ｒ４１は各々独立に炭素数１以上４以下の炭化水素基を示す。
式（１８）中、Ｒ４２〜Ｒ４５は各々独立して炭素数１以上１８以下の炭化水素基を示す。）
【化１９】
2012237993.tif 000019
【化２０】
2012237993.tif 000020
【化２１】
2012237993.tif 000021
【化２２】
2012237993.tif 000022
（式（１９）〜（２２）中、
Ｒ４６〜Ｒ４８、Ｒ５１〜Ｒ５３、Ｒ５８、Ｒ５９、Ｒ６４およびＲ６５は各々独立して水素原子、炭素数１以上４以下のアルキル基、水酸基、カルボキシル基、またはアミノ基を示す。
Ｒ４９、Ｒ５０、Ｒ５４〜Ｒ５７、Ｒ６２、Ｒ６３およびＲ６８〜Ｒ７１は各々独立して水素原子、または炭素数１以上４以下のアルキル基を示す。
Ｒ６０、Ｒ６１、Ｒ６６およびＲ６７は各々独立して水素原子、炭素数１以上４以下のアルコキシ基または炭素数１以上４以下のアルキル基を示す。
ｎ３、ｍ３、ｑ３、ｓ３、ｔ３およびｕ３は各々独立に１以上８以下の整数を示す。
ｐ３およびｒ３は各々独立に４以上１２以下の整数を示す。
記号「＊＊＊」は式（１７）中のケイ素原子への結合部位を示す。）
【化２３】
2012237993.tif 000023
【化２４】
2012237993.tif 000024
【化２５】
2012237993.tif 000025
（式（２３）〜（２５）中、
Ｒ７２〜Ｒ７７は各々独立して炭素数１以上６以下の飽和炭化水素基、またはエーテル基で一部置換された炭化水素基を示す。
ｆ、ｇおよびｈは各々独立して１以上１３５０以下の整数を示す。）。
【請求項５】
前記高分子化合物が、式（１７）で示される加水分解性化合物と、式（１８）で示される加水分解性化合物と、式（２３）〜（２５）でそれぞれ示されるエポキシ変性シリコーンオイルのうちの少なくとも１つと、式（２６）で示される加水分解性化合物とを架橋させてなる物である請求項１〜３のいずれか１項に記載の帯電部材：
【化２６】
2012237993.tif 000026
【化２７】
2012237993.tif 000027
（式（１７）中、Ｒ３８はエポキシ基を有する、式（１９）〜（２２）にそれぞれ示される構造のうちのいずれかを示し、Ｒ３９〜Ｒ４１は各々独立に炭素数１以上４以下の炭化水素基を示す。
式（１８）中、Ｒ４２〜Ｒ４５は各々独立して炭素数１以上１８以下の炭化水素基を示す。）
【化２８】
2012237993.tif 000028
【化２９】
2012237993.tif 000029
【化３０】
2012237993.tif 000030
【化３１】
2012237993.tif 000031
（式（１９）〜（２２）中、
Ｒ４６〜Ｒ４８、Ｒ５１〜Ｒ５３、Ｒ５８、Ｒ５９、Ｒ６４およびＲ６５は各々独立して水素原子、炭素数１以上４以下のアルキル基、水酸基、カルボキシル基、またはアミノ基を示す。
Ｒ４９、Ｒ５０、Ｒ５４〜Ｒ５７、Ｒ６２、Ｒ６３およびＲ６８〜Ｒ７１は各々独立して水素原子、または炭素数１以上４以下のアルキル基を示す。
Ｒ６０、Ｒ６１、Ｒ６６およびＲ６７は各々独立して水素原子、炭素数１以上４以下のアルコキシ基または炭素数１以上４以下のアルキル基を示す。
ｎ３、ｍ３、ｑ３、ｓ３、ｔ３およびｕ３は各々独立に１以上８以下の整数を示す。
ｐ３およびｒ３は各々独立に４以上１２以下の整数を示す。
記号「＊＊＊」は式（１７）中のケイ素原子への結合部位を示す。）
【化３２】
2012237993.tif 000032
【化３３】
2012237993.tif 000033
【化３４】
2012237993.tif 000034
（式（２３）〜（２５）中、
Ｒ７２〜Ｒ７７は各々独立して炭素数１以上６以下の飽和炭化水素基、またはエーテル基で一部置換された炭化水素基を示す。
ｆ、ｇおよびｈは各々独立して１以上１３５０以下の整数を示す。）
【化３５】
2012237993.tif 000035
（式（２６）中、Ｒ７８はアルキル基、またはアリール基を示し、Ｒ７９〜Ｒ８１は各々独立に炭化水素基を示す。）。
【請求項６】
請求項４に記載の帯電部材の製造方法であって、
前記式（１７）および（１８）でそれぞれ示される加水分解性化合物から合成される加水分解縮合物と、前記式（２３）〜（２５）でそれぞれ示されるエポキシ変性シリコーンオイルのうちの少なくとも１つとを含む塗料の塗膜を前記導電性弾性層の外周に形成する工程と、
該加水分解縮合物中の前記Ｒ３８のエポキシ基と、該エポキシ変性シリコーンオイル中のエポキシ基とを開裂および重合させることにより、該加水分解縮合物を架橋させるとともに、該シリコーンオイルを該縮合物と架橋させて前記表面層を形成する工程と、を含むことを特徴とする帯電部材の製造方法。
【請求項７】
請求項５に記載の帯電部材の製造方法であって、
前記式（１７）、（１８）および（２６）でそれぞれ示される加水分解性化合物から合成される加水分解縮合物と、前記式（２３）〜（２５）でそれぞれ示されるエポキシ変性シリコーンオイルのうちの少なくとも１つとを含む塗料の塗膜を前記導電性弾性層の外周に形成する工程と、
該加水分解縮合物中の前記Ｒ３８のエポキシ基と、該エポキシ変性シリコーンオイル中のエポキシ基とを開裂および重合させることにより、該加水分解縮合物を架橋させるとともに、該シリコーンオイルを該縮合物と架橋させて前記表面層を形成する工程と、を含むことを特徴とする帯電部材の製造方法。
【請求項８】
電子写真装置本体に着脱自在であるプロセスカートリッジであって、
電子写真感光体と、
該電子写真感光体に接触してなる請求項１〜５のいずれか１項に記載の帯電部材とを有することを特徴とするプロセスカートリッジ。
【請求項９】
電子写真感光体と、該電子写真感光体に接触してなる請求項１〜５のいずれか１項に記載の帯電部材とを有することを特徴とする電子写真装置。
【手続補正２】
【補正対象書類名】明細書
【補正対象項目名】００１０
【補正方法】変更
【補正の内容】
【００１０】
本発明の一態様によれば、導電性支持体、導電性弾性層および表面層を有する電子写真装置に用いられる帯電部材であって、該表面層は、Ｓｉ−Ｏ−Ｔｉ結合を分子構造中に有する高分子化合物を含み、該高分子化合物は、下記式（１）、（２）及び（３）で示される構成単位を有することを特徴とする帯電部材が提供される：
【手続補正３】
【補正対象書類名】明細書
【補正対象項目名】００２６
【補正方法】変更
【補正の内容】
【００２６】
また、本発明によれば、電子写真感光体と、該電子写真感光体に接触してなる上記帯電部材とを有する電子写真装置が提供される。更に、本発明によれば、電子写真装置に着脱可能に装着されるプロセスカートリッジであって、電子写真感光体と、該電子写真感光体に接触してなる上記帯電部材とを有するプロセスカートリッジが提供される。